(57)【要約】  【課題】簡単に組み立てることができる屋根を提供する。  【解決手段】筒状の嵌合部４ａと長方形状の遮蔽部４ｂと平板状の取付部４ｃが形成された結合体４と、長方形状の平板部６ａの両側部に形成された立ち上がり部６ｂ，６ｃと一方の立ち上がり部６ｂの上部に外向きに突出する係合部と他方の立ち上がり部６ｃの上部に内向きに突出する係合部とを有し平板部６ａの一方が結合体４の取付部４ｃに固定された葺板体６とより屋根構成体２を構成し、この屋根構成体２をパイプ８の一方側に複数並列に配置し、各屋根構成体２の嵌合部４ａをパイプ８に嵌合し、隣接する屋根構成体２の葺板体６の左右の係合部同士を係合し、パイプ８の他方側に屋根構成体２を複数並列に配置し、各屋根構成体２の嵌合部４ａを、一方側の各屋根構成体２の嵌合部４ａの上からパイプ８に嵌合し、パイプ８の他方側の隣接する屋根構成体２の葺板体６の係合部同士を係合して屋根を構成する。【選択図】  図１
2007154467.tif 000002
【特許請求の範囲】
【請求項１】
パイプ８に脱着自在に嵌合するための一部が開放された筒状の嵌合部４ａが形成され、該嵌合部４ａと一体的に長方形状の遮蔽部４ｂが形成され、該遮蔽部４ｂの側縁に一体的に平板状の取付部４ｃが形成された結合体４と、長方形状の平板部６ａの両側部に立ち上がり部６ｂ，６ｃが形成され該立ち上がり部６ｂ，６ｃの中の一方の立ち上がり部６ｂの上部に外向きに突出する係合部が形成され、他方の立ち上がり部６ｃの上部に内向きに突出する突出する係合部が形成され、前記平板部６ａの長手方向が前記嵌合部４ａの軸方向に対して直角となるように前記平板部６ａの一方が前記取付部４ｃに固定された葺板体６とより成ることを特徴とする簡易屋根構成体。
【請求項２】
前記外向きに突出する係合部を前記立ち上がり部６ｂに対して外向き直角方向に所定幅延びる外向き上位水平部６ｄと該外向き上位水平部６ｄに対して下向き直角方向に所定幅延びる垂直部６ｅとで構成し、前記内向きに突出する係合部を前記立ち上がり部６ｃに対して内向き直角方向に所定幅延びる内向き上位水平部６ｆで構成したことを特徴とする請求項１に記載の簡易屋根構成体。
【請求項３】
前記遮蔽部４ｂの一方に、側縁が開放された延長領域Ｓを設け、前記遮蔽部４ｂの一方を前記葺板体６の側縁に対して所定長さ直角方向に突出せしめたことを特徴とする請求項１に記載の簡易屋根構成体。
【請求項４】
パイプ８に脱着自在に嵌合するための一部が開放された筒状の嵌合部４ａが形成され、該嵌合部４ａと一体的に長方形状の遮蔽部４ｂが形成され、該遮蔽部４ｂの側縁に一体的に平板状の取付部４ｃが形成された結合体４と、長方形状の平板部６ａの両側部に立ち上がり部６ｂ，６ｃが形成され該立ち上がり部６ｂ，６ｃの中の一方の立ち上がり部６ｂの上部に外向きに突出する係合部が形成され、他方の立ち上がり部６ｃの上部に内向きに突出する突出する係合部が形成され、前記平板部６ａの長手方向が前記嵌合部４ａの軸方向に対して直角となるように前記平板部６ａの一方が前記取付部４ｃに固定された葺板体６とより屋根構成体２を構成し、前記屋根構成体２をパイプ８の一方側に複数並列に配置し、各屋根構成体２の嵌合部４ａを前記パイプ８に嵌合し、隣接する前記屋根構成体２の葺板体６の左右の係合部同士を係合し、前記パイプ８の他方側に前記屋根構成体２を複数並列に配置し、各屋根構成体２の嵌合部４ａを、前記一方側の各屋根構成体２の嵌合部４ａの上から前記パイプ８に嵌合し、該パイプ８の他方側の隣接する前記屋根構成体２の葺板体６の係合部同士を係合したことを特徴とする簡易屋根。
【請求項５】
前記簡易屋根構成体２の前記外向きに突出する係合部を前記立ち上がり部６ｂに対して外向き直角方向に所定幅延びる外向き上位水平部６ｄと、該外向き上位水平部６ｄに対して下向き直角方向に所定幅延びる垂直部６ｅとで構成し、前記内向きに突出する係合部を前記立ち上がり部６ｃに対して内向き直角方向に所定幅延びる内向き上位水平部６ｆで構成したことを特徴とする請求項４に記載の簡易屋根。
【請求項６】
前記簡易屋根構成体２の前記遮蔽部４ｂの一方に、側縁が開放された延長領域Ｓを設け、前記遮蔽部４ｂの一方を前記葺板体６の側縁に対して所定長さ直角方向に突出せしめ、前記隣接する葺板体２の係合部同士を係合したとき、隣接する遮蔽部４ｂ，４ｂの一方の遮蔽部４ｂの延長領域Ｓが他方の遮蔽部４ｂに重なるようにしたことを特徴とする請求項４に記載の簡易屋根。
【発明の詳細な説明】
【技術分野】
【０００１】
本発明は、簡易屋根及びその構成体に関する。
【背景技術】
【０００２】
従来、簡単に屋根を構築できるようにした各種の簡易屋根が提案されている（例えば特許文献１参照）。
【特許文献１】特開２００３−２５３８０３号公報
【発明の開示】
【発明が解決しようとする課題】
【０００３】
従来の簡易屋根は構造が簡単であっても組み立てにビス止めや各種部材の固定作業が伴い、簡単に屋根を組み立てることができないという問題点がある。
本発明は上記問題点を解決することを目的とするものである。
【課題を解決するための手段】
【０００４】
上記目的を達成するため本発明は、パイプ８に脱着自在に嵌合するための一部が開放された筒状の嵌合部４ａが形成され、該嵌合部４ａと一体的に長方形状の遮蔽部４ｂが形成され、該遮蔽部４ｂの側縁に一体的に平板状の取付部４ｃが形成された結合体４と、長方形状の平板部６ａの両側部に立ち上がり部６ｂ，６ｃが形成され該立ち上がり部６ｂ，６ｃの中の一方の立ち上がり部６ｂの上部に外向きに突出する係合部が形成され、他方の立ち上がり部６ｃの上部に内向きに突出する突出する係合部が形成され、前記平板部６ａの長手方向が前記嵌合部４ａの軸方向に対して直角となるように前記平板部６ａの一方が前記取付部４ｃに固定された葺板体６とより簡易屋根構成体を構成したものである。
また本発明は、前記外向きに突出する係合部を前記立ち上がり部６ｂに対して外向き直角方向に所定幅延びる外向き上位水平部６ｄと該外向き上位水平部６ｄに対して下向き直角方向に所定幅延びる垂直部６ｅとで構成し、前記内向きに突出する係合部を前記立ち上がり部６ｃに対して内向き直角方向に所定幅延びる内向き上位水平部６ｆで構成したものである。
また本発明は、前記遮蔽部４ｂの一方に、側縁が開放された延長領域Ｓを設け、前記遮蔽部４ｂの一方を前記葺板体６の側縁に対して所定長さ直角方向に突出せしめたものである。
また本発明は、パイプ８に脱着自在に嵌合するための一部が開放された筒状の嵌合部４ａが形成され、該嵌合部４ａと一体的に長方形状の遮蔽部４ｂが形成され、該遮蔽部４ｂの側縁に一体的に平板状の取付部４ｃが形成された結合体４と、長方形状の平板部６ａの両側部に立ち上がり部６ｂ，６ｃが形成され該立ち上がり部６ｂ，６ｃの中の一方の立ち上がり部６ｂの上部に外向きに突出する係合部が形成され、他方の立ち上がり部６ｃの上部に内向きに突出する突出する係合部が形成され、前記平板部６ａの長手方向が前記嵌合部４ａの軸方向に対して直角となるように前記平板部６ａの一方が前記取付部４ｃに固定された葺板体６とより屋根構成体２を構成し、前記屋根構成体２をパイプ８の一方側に複数並列に配置し、各屋根構成体２の嵌合部４ａを前記パイプ８に嵌合し、隣接する前記屋根構成体２の葺板体６の左右の係合部同士を係合し、前記パイプ８の他方側に前記屋根構成体２を複数並列に配置し、各屋根構成体２の嵌合部４ａを、前記一方側の各屋根構成体２の嵌合部４ａの上から前記パイプ８に嵌合し、該パイプ８の他方側の隣接する前記屋根構成体２の葺板体６の係合部同士を係合したものである。
また本発明は、隣接する葺板体２の係合部同士を係合したとき、隣接する遮蔽部４ｂ，４ｂの一方の遮蔽部４ｂの延長領域Ｓが他方の遮蔽部４ｂに重なるようにしたものである。
【発明の効果】
【０００５】
本発明は組み立てにビス止めなどの固定作業を必要とすることなく簡単に屋根を構築することができる。
【発明を実施するための最良の形態】
【０００６】
以下に、本発明の実施の形態を添付した図面を参照して詳細に説明する。
図１において、２は屋根構成体であり、結合体４と葺板体６とより構成されている。結合体４は鋼板などの金属板からなり、断面半円形のわん曲嵌合部４ａと長方形状の遮蔽部４ｂと長方形状の取付部４ｃを有している。
【０００７】
前記取付部４ｃの一方の側縁４ｄと、前記遮蔽部４ｂの一方の側縁４ｅとは同一線上に形成されている。取付部４ｃの横幅は、遮蔽部４ｂの横幅の略１／３に設定され、遮蔽部４ｂに、取付部４ｃが一体的に形成された領域と、側方が開放された延長領域（Ｓ）が形成されている。
【０００８】
葺板体６は、鋼板等の金属板よりなり、長方形状の平板部６ａと、その両側に直角方向に屈折形成された帯状の立ち上がり部６ｂ，６ｃと、一方の立ち上がり部６ｂの上部に、これに対して外向き直角方向に屈折形成された上位水平部６ｄと、該上位水平部６ｄの一方にこれに対して垂直方向に屈折して形成された垂直部６ｅと、他方の立ち上がり部６ｃの上部にこれに対して内向き直角方向に屈折形成された上位水平部６ｆとから構成されている。
【０００９】
前記上位水平部６ｄと垂直部６ｅは、他の葺板体６と係合するための係合部を構成し、前記上位水平部６ｆも同様に他の葺板体６と係合するための係合部を構成している。尚、前記上位水平部６ｆに垂直部を形成し、係合部を左右同じ構成としても良い。
【００１０】
前記葺板体６の一方は、結合体４の取付部４ｃの上面にリベットにより固定されている。前記葺板体６は、前記結合体４に固定された状態において、葺板体６の長手方向は、結合体４のわん曲嵌合部４ａの軸方向に対して直角を向き、平板部６ａの側縁６ｇが取付部４ｃの側縁４ｄと一致している。前記葺板体６の底面と結合体４の取付部４ｃの上面との間には、水が浸入しないように、コーキング材が充填されている。８は屋根構成体２を支持するためのパイプである。
【００１１】
上記した構成において、パイプ８の片側に複数の屋根構成体２を並列配置し、各屋根構成体２のわん曲嵌合部４ａを、互いに隣接するわん曲嵌合部４ａ同士が一部重なるように嵌合する。このとき、隣接する葺板体６の一方の上位水平部６ｆに、他方の葺板体６の他方の上位水平部６ｄを上から被せ、両者を係合させるとともに、互いに隣接する結合体４，４の一方の結合体４の遮蔽部４ｂの上面に、他方の結合体４の延長領域（Ｓ）を重ね合わせる。
【００１２】
同様に、パイプ８の他方側に、複数の屋根構成体２を並列配置し、既にパイプ８に嵌合されている屋根構成体２のわん曲嵌合部４ａの上から、各屋根構成体２のわん曲嵌合部４ａを、上記した要領で嵌合する。
【００１３】
以上の作業によって、パイプ８を中心に、その両側に、複数の屋根構成体２からなる、開閉方向に移動自在な簡易屋根体が構築される。この簡易屋根体を、図４に示すように、パイプ８と屋根構成体２群を支柱（図示省略）などによって所定の高さに支持することで、簡単に屋根を備えた建物を構築することができる。
【図面の簡単な説明】
【００１４】
【図１】本発明係る屋根構成体の外観説明図である。
【図２】葺板体の結合構造を示す説明的断面図である。
【図３】本発明の説明図である。
【図４】本発明に係る屋根構成体の外観説明図である。
【符号の説明】
【００１５】
２      屋根構成体
４      屋根構成体
４ａ    わん曲嵌合部
４ｂ    遮蔽部
４ｃ    取付部
４ｄ    側縁
６      葺板体
６ａ    平板部
６ｂ    立ち上がり部
６ｃ    立ち上がり部
６ｄ    上位水平部
６ｅ    垂直部
６ｆ    上位水平部
６ｇ    側縁
８      パイプ
１０    建物
【図１】
2007154467.tif 000003
【図２】
2007154467.tif 000004
【図３】
2007154467.tif 000005
【図４】
2007154467.tif 000006